(57)【要約】【課題】地肌汚れ防止用の構造を維持しつつ、生え際部分の根元まで十分に液を塗布可能にする髪用塗布具を提供する。【解決手段】塗布液を収容する容器と、該容器内の塗布液を含浸して毛髪に塗布する塗布体と、該塗布体に併設される複数の櫛体を備えた櫛部とを備え、櫛部によって梳いた毛髪に前記塗布体から前記塗布液を塗布するための髪用塗布具において、  櫛部における配列方向端部の櫛体は、地肌に対して角度４５°で軸方向７．５Ｎの力を加えると１ｍｍ以上変形する可撓性を有していることを特徴とする髪用塗布具である。【選択図】図１
2019134983.tif 000002
【特許請求の範囲】
【請求項１】
塗布液を収容する容器と、該容器内の塗布液を含浸して毛髪に塗布する塗布体と、該塗布体に併設される複数の櫛体を備えた櫛部とを備え、櫛部によって梳いた毛髪に前記塗布体から前記塗布液を塗布するための髪用塗布具において、
櫛部における配列方向端部の櫛体は、地肌に対して角度４５°で軸方向７．５Ｎの力を加えると１ｍｍ以上変形する可撓性を有していることを特徴とする髪用塗布具。
【請求項２】
櫛部における配列方向端部の櫛体は、横断面が楕円形状であることを特徴とする請求項１に記載の髪用塗布具。
【請求項３】
櫛部における配列方向両端の櫛体の間の空間が、毛髪の通ることが可能な空間を投影面積で７０％以上にしたことを特徴とする請求項１または２に記載の髪用塗布具。
【請求項４】
前記塗布体に対して前記櫛体の間の空間が、髪を梳く複数の方向に基づき設定されたことを特徴とする請求項３に記載の髪用塗布具。
【発明の詳細な説明】
【技術分野】
【０００１】
本発明は、髪用塗布具に関するものであり、容器本体に取り付けられ、髪（人間、その他のペット動物等を含む毛髪）を梳きながら容器に収容した塗布液（染毛剤、整髪剤、育毛剤等）を髪に塗布するための髪用塗布具に関するものである。
【背景技術】
【０００２】
従来、容器に収容した染毛剤などをその容器に取り付けた櫛部の櫛歯間に導入して、この櫛部で髪を梳くことによって髪を染める髪用塗布具が知られている。
【０００３】
髪用塗布具において、頭皮への染毛剤の付着を防ぐ提案がされている。
【０００４】
例えば、特許文献１には、塗布液供給部（塗布体）を部分的に覆う櫛歯状のガードを設けた毛染容器が開示されている。この毛染容器は、そのガードによって塗布体が直接的に頭皮に当たらないようにした構成のものである。
【０００５】
また、特許文献２には、櫛部にそれぞれと吐出孔が設けられた第１櫛歯と第２櫛歯を交互に設け、第１櫛歯よりも第２櫛歯を短くすることにより、第１櫛歯が頭皮に主に当たるようにして第２櫛歯から頭皮に毛髪化粧料が付着する可能性を低くした毛髪化粧用具が開示されている。
【先行技術文献】
【特許文献】
【０００６】
【特許文献１】国際公開２００７／０６６７６４
【特許文献２】特開平１１−１６９２２３号公報
【発明の概要】
【発明が解決しようとする課題】
【０００７】
しかしながら、前述の従来の髪用塗布具では、髪の生え際部分等の毛髪の根本まで染毛したい場合に、地肌の汚れを防止する部材が邪魔になり、特許文献１では、ガードを外す必要が生じ、また、特許文献２では、櫛歯の高さが邪魔になって生え際の塗布が困難である等の問題点を有していた。
【０００８】
本発明は、斯かる実情に鑑み、地肌汚れ防止用の構造を維持しつつ、生え際部分の根元まで十分に液を塗布可能にする髪用塗布具を提供しようとするものである。
【課題を解決するための手段】
【０００９】
本発明は、塗布液を収容する容器と、該容器内の塗布液を含浸して毛髪に塗布する塗布体と、該塗布体に併設される複数の櫛体を備えた櫛部とを備え、櫛部によって梳いた毛髪に前記塗布体から前記塗布液を塗布するための髪用塗布具において、
櫛部における配列方向端部の櫛体は、地肌に対して角度４５°で軸方向７．５Ｎの力を加えると１ｍｍ以上変形する可撓性を有していることを特徴とする髪用塗布具である。
【００１０】
本発明において、櫛部における配列方向端部の櫛体は、横断面が楕円形状であることが好適である。
【００１１】
また、本発明において、櫛部における配列方向両端の櫛体の間の空間が、毛髪の通ることが可能な空間を投影面積で７０％以上にしたことが好適である。
【００１２】
本発明において、前記塗布体に対して、前記櫛体の間の空間が、髪を梳く複数の方向に基づき設定されたことが好適である。
【発明の効果】
【００１３】
本発明の髪用塗布具によれば、櫛部における配列方向端部の櫛体は、地肌に対して角度４５°で軸方向７．５Ｎの力を加えると１ｍｍ以上変形する可撓性を有した構造であるので、櫛体がしなって毛髪の生え際やもみあげまで塗布液を塗布することができ、非常に使い勝手が良いという優れた効果を奏し得る。
【図面の簡単な説明】
【００１４】
【図１】本発明の実施形態に係る髪用塗布具のキャップ付きの全体説明図で、（ａ）が外観図、（ｂ）が縦断面図である。
【図２】図１の髪用塗布具のキャップを外した全体説明図で、（ａ）が塗布部の長辺側から見た外観図、（ｂ）が塗布部の短辺側から見た外観図である。
【図３】図１の髪用塗布具のキャップを外した全体説明図で、（ａ）が後方からの斜視図、（ｂ）が前方からの斜視図である。
【図４】図１の髪用塗布具の前端部について非使用時の拡大説明図である。
【図５】図１の髪用塗布具の前端部について使用時の拡大説明図である。
【図６】図１の髪用塗布具の櫛体についての説明図で、（ａ）が斜視図、（ｂ）が前方からの視図、（ｃ）が（ｄ）のＣ−Ｃ線に沿う断面図、（ｄ）が側面図である。
【発明を実施するための形態】
【００１５】
以下、本発明の実施形態について添付図面を参照して説明する。
【００１６】
図１〜図６は実施形態に係る髪用塗布具の説明図である
【００１７】
図１に示すように、髪用塗布具は、塗布液を収容する容器１０と、該容器内の塗布液を含浸して毛髪に塗布する塗布体１２と、該塗布体１２に併設される複数の櫛体１４を備えた櫛部１６とを備え、櫛部１６によって梳いた毛髪に前記塗布体１２から前記塗布液を塗布するための髪用塗布具に関するものである。図１に示すように、髪用塗布具は、容器１０の先方部に、塗布体１２及び櫛部１６を不使用時に覆うキャップ２６を着脱自在に設けたものである。当該髪用塗布具は、使用時に、図２、図３に示すように、前記キャップ２６を外して、塗布体１２及び櫛部１６を露出した状態にできる。
【００１８】
ここで櫛部１６は、後に詳述するが、図２、図３に示されるように、櫛体１４が横・縦に配列されており、その配列方向端部の櫛体１４（１４ａ，１４ａ）は、地肌に対して角度４５°で軸方向７．５Ｎの力を加えると１ｍｍ以上変形する可撓性を有しているものである。
【００１９】
また、後述するが、複数の塗布体１２が二列並べられて、並べられた塗布体１２を挟んで外側に櫛部１６が設けられている。先方から見ると、塗布体１２の並び方向が櫛部１６の櫛体１４の並び方向と平行になるように配列されている。
【００２０】
各部を説明する。
図１〜図３に示すように、本実施形態に係る髪用塗布具は、先端部に設けた櫛部１６に複数の櫛体１４が形成され、複数の櫛体１４に並設される複数の塗布体１２を有し、その櫛部１６によって髪を梳くと共に、取り付けられる容器１０内の塗布液を、塗布体１２を介して毛髪に塗布するためのものである。
【００２１】
前記髪用塗布具において、樹脂製の容器１０は、後端が閉鎖され、先端の開口した筒状に成形された容器本体２０と、容器本体２０の外部を覆うカバー体２２とを備えている。内部の容器本体２０内には、貯溜体１８が挿入収容される。貯溜体１８には化粧料である塗布液が担持（貯溜）される。容器本体２０には、その前端外周にフランジ２０ａが拡径して形成されており、そのフランジ２０ａの後方に、把持カバー体２２の前端が外嵌することにより、容器本体２０に対してカバー体２２が着脱可能に固定される。また、フランジ２０ａの先方の外周面には、ネジ（雄ネジ）が形成されている。
【００２２】
なお、カバー体２２は、外周面に窪み２２ａの形成で持ちやすくなっており、かつ窪み２２ａやその他の模様、シュリンク等外面に意匠的な装飾も施すことができるものである。
【００２３】
また、上の貯溜体１８としては塗布液を貯溜や担持できるものである限り、その材料に制限されるものではなく、例えば、中綿等を挙げることができる。
【００２４】
容器本体２０の先端開口２０ｂには、継手２４が装着されている。継手２４には、取付け孔２４ａと係止部２４ｂが形成される。取付け孔２４ａは、部概略筒状に先方に突出した部分であって正面視すると概略矩形にほぼ軸中央に形成される。取付け孔２４ａには、複数の棒状の塗布体１２が二列等の複数列に挿入され、各塗布体１２と取付け孔２４ａ内周または開口との間は、スペーサ２４ｃが介装されていて、それによって、塗布体１２のガタ付が防止される。塗布体１２は、スペーサ２４ｃを介して取付け孔２４ａ内に装填され、塗布体１２は容器本体２０の軸方向に沿って設けられる。
【００２５】
また、継手２４の取付け孔２４ａの外側面には、櫛部１６の基部３２を差し込んで取り付けるための係止部２４ｂが先方向きに突出して形成される。
【００２６】
塗布体１２の後端部１２Ａは、その装填時に上述の貯溜体１８の先端内に挿入されて連結される。
【００２７】
なお、継手２４の外壁面と容器本体２０の筒状開口部の内壁面とは液密に密着しており、また、継手２４は上記開口部から着脱可能でも、完全に固定されても良い。
【００２８】
上記の塗布体１２には、その使用する塗布液の液保持力が特許第４７２６４３９号に記載のもの等を適用できる。
【００２９】
塗布体１２の素材としては、スライバーペン芯、フェルト状物、連続気泡スポンジ状物等が好適である。
【００３０】
ここで、図１に示すように、髪用塗布具は、その非使用時に上記の塗布体１２及び櫛部１６は、キャップ２６にて覆って着脱自在になっている。
【００３１】
キャップ２６は、それぞれ概略カップ状の内キャップ２６ａ、中キャップ２６ｂ及び外キャップ２６ｃが内側から外側に多層状に配設されたものである。内キャップ２６ａは後方向きの開口部内に、塗布体１２と櫛部１６を覆った状態で、開口部の周囲が、継手２４の係止部２４ｂ外周の平坦面に当接する。
【００３２】
また、内キャップ２６ａの奥側になる先端部には、櫛部１６と塗布体１２とを分かちながらこれらの先端部に近接する突起が成形されたガイド孔２８が設けられる。
【００３３】
中キャップ２６ｂ内にはコイルバネ３０が配され、コイルバネ３０の弾性力によって内キャップ２６ａを後方向きに付勢している。
【００３４】
また、外キャップ２６ｃは、容器１０側の後端部の内面にネジ（雌ネジ）が形成されており、容器本体２０のフランジ２０ａよりも先方部分のネジ（雄ネジ）に外キャップ２６ｃのネジが螺合する構造である。これらのネジ同士の螺合によって、キャップ２６が容器本体２０ひいては容器１０に対して着脱自在な構成になっている。
【００３５】
櫛部１６は図４や図６に示すように、樹脂製の成形部材からなり、概略矩形板状の基部３２と、基部３２の先端側面に間隔をおいて突出成形された複数の櫛体１４とからなる。図１〜図３に示す櫛部１６の取付け状態では、櫛体１４の先端が塗布体１２の先端より突き出している。
【００３６】
櫛部１６における配列方向端部の櫛体１４が、地肌に対して角度４５°で軸方向７．５Ｎの力を加えると１ｍｍ以上変形する可撓性を有している。
【００３７】
前記基部３２には、後部から切り込むように形成された差し込み穴３２ａが形成されて、この差し込み穴３２ａが前記の継手２４の係止部２４ｂが差し込まれて着脱可能に係合される係合部として成形される。
【００３８】
また、櫛部１６においては、図６に示すように３つ（複数の例）の櫛体１４は基部の平坦方向に沿った横方向に配列されており、その配列方向端部つまり両端部の櫛体１４（１４ａ，１４ａ）は、横断面が楕円形状に形成され、また、中央の櫛体１４ｂは横断面が円形形状に形成されている。各櫛体１４の各先端はＲつまり丸み（例えば球状）を帯びて形成されている。
【００３９】
また、櫛部１６における配列方向両端の櫛体１４の間の空間が、毛髪の通ることが可能な空間３４を投影面積で７０％以上にしたものである。具体的には、図６（ｄ）に示すように、両端部の櫛体１４（１４ａ，１４ａ）同士の間の面積Ｓ１を基準に、中央の櫛体１４ｂを除いた空間の面積Ｓ２の比（Ｓ２／Ｓ１）が７０％以上あるということである。
【００４０】
また、櫛部１６と塗布体１２のある塗布部に対して、前記櫛体の間の空間が、髪を梳く複数の方向に基づき設定されている。具体的には、図３に示すように、櫛部１６と塗布体１２との塗布部は、先方から見ると矩形を呈しており、櫛部１６の櫛体１４及び塗布体１２の配列方向を縦方向（符号「Ｙ」方向）として、櫛部１６と塗布体１２の並列方向を横方向（符号「Ｘ」）としている。
【００４１】
したがって、櫛部１６と塗布体１２が矩形配列されているので、実施形態の髪用塗布具においては、Ｙ方向、Ｘ方向という使う向きを９０°変更することによって、塗布体１２と櫛部１６とからなる塗布部の使い方を変えることができる。具体的には、この櫛部１６を横方向（Ｘ方向）または（Ｙ方向）に沿って塗布に使用した場合、前記の面積の比Ｓ２／Ｓ１を７０％以上にしている。
【００４２】
髪用塗布具を使用する際に、図３に示すように、幅が広く塗布体１２が多く見える櫛部１６の面１６Ａに髪の毛が垂直に交わるように使用すると、つまり、前記Ｘ方向に移動させて髪に塗布するように使用した場合、塗布体１２の先端よりも櫛部１６の櫛体１４が引っ込んでいるので、塗布体１２が地肌に触れず、地肌への塗布液が付くことも心配せずに塗布することができる。また、図６（ｃ）に示すように、四隅の櫛体１４（１４ａ，１４ａ）の断面が楕円形状であるため、荷重を意識せずに一定の感覚で塗布できる。
【００４３】
また、その使用の際に、櫛部１６において、両端部の櫛体１４（１４ａ，１４ａ）同士の間の面積Ｓ１を基準に、中央の櫛体１４ｂを除いた空間の面積Ｓ２の比（Ｓ２／Ｓ１）が７０％以上あるものとして、従来品に対して、髪の通りと塗布量を増やすために、櫛体１４同士の間隔を最低限にし、毛髪の通る面積比率を上げたものである。
【００４４】
一方、幅が狭くペン芯が少なく見える面（図３で符号「１６Ｂ」で示す）塗布方向と垂直に交わるように使用する（Ｙ方向に移動させる）と、１回梳く際に通過する塗布体１２の本数が増え、狭い範囲に対して入念に塗布できる。
【００４５】
また、四隅の櫛体１４（１４ａ，１４ａ）の断面が楕円形状であるため、毛髪への押し荷重を調整することで櫛体１４が弾性変形し塗布体１２と頭皮との隙間を調整できる。変形する前が図４に示す状態であり、変形後が図５に示すよう状態である。図５に変形量を符号「δ」で示す。
【００４６】
したがって、毛髪根元などの塗布が難しい部分により丁寧に塗布できる。
【００４７】
さらに、頭皮に押し付けても痛くならないように、図４に示すように、櫛体１４先端１４ｓはＳＲ（断面円形）形状とし、髪が絡まないように支柱との接続部は滑らかなＲ面（曲面）で繋いでいる。
【００４８】
なお、塗布体１２及び櫛部１６の少なくとも一方を着脱可能とすることが好ましい。着脱可能とすることにより、塗布体１２にしつこく付着する抜け毛などの絡み毛の除去が極めて容易になり、その使い勝手に支障が生じなくなる。
【００４９】
前記実施形態では、塗布液を染毛剤としたが、これに限る必要はない。例えば、整髪剤、育毛剤、またペットその他の動物の毛艶剤等であっても良い。但し、これらの塗布液は、上述の塗布体の液保持力における関係を満たす必要がある。
【００５０】
また、前記実施形態では、櫛部１６における櫛体１４の数が６本で、塗布体１２の数が５本２列（１０本）であったが、本発明においては、いずれも複数であればよく、又、並列数等の適宜に設定できることはもちろんである。
【産業上の利用可能性】
【００５１】
本発明の髪用塗布具は、染毛剤の他、整髪剤、育毛剤、ペットその他の毛艶剤等の塗布具に利用することができる。
【符号の説明】
【００５２】
１０  容器
１２  塗布体
１４  櫛体
１６  櫛部
１６Ａ  櫛部の幅広面側
１６Ｂ  櫛部の幅狭面側
２０  容器本体
２２  カバー体
２４  継手
３２  櫛部の基部
３４  櫛体間の空間
【図１】
2019134983.tif 000003
【図２】
2019134983.tif 000004
【図３】
2019134983.tif 000005
【図４】
2019134983.tif 000006
【図５】
2019134983.tif 000007
【図６】
2019134983.tif 000008
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
塗布液を収容する容器と、該容器内の塗布液を含浸して毛髪に塗布する塗布体と、該塗
布体に併設される複数の櫛体を備えた櫛部とを備え、櫛部によって梳いた毛髪に前記塗布
体から前記塗布液を塗布するための髪用塗布具において、
櫛部の基部に後部から切り込むように形成された差し込み穴を形成し、前記差し込み穴は容器開口に装着される継手の先方向きに突出して形成される係止部に差し込まれて、櫛部が着脱可能に係合されることを特徴とする髪用塗布具。
【請求項２】
櫛部における配列方向端部の櫛体は、地肌に対して角度４５°で軸方向７．５Ｎの力を
加えると１ｍｍ以上変形する可撓性を有していることを特徴とする請求項１に記載の髪用塗布具。
【請求項３】
櫛部における配列方向端部の櫛体は、横断面が楕円形状であると共に、先端はＳＲ形状であることを特徴とする請求項１又は２に記載の髪用塗布具。